(57)【要約】      （修正有）【課題】複数の調整スイッチを使用して複数の発光素子の光度を個別に調整する多目的オートディテーリング照明装置を提供する。【解決手段】多目的オートディテーリング照明装置１００は、装置本体１、制御モジュール２、および照明器具３を含む。装置本体は、互いに反対側の固定端１１と照明端１２を有し、固定端は、工作機械に固定されるか、固定部材に吸着されるために使用される。制御モジュールは、装置本体に配置され、第１調整スイッチ２１、第２調整スイッチ２２、および第３調整スイッチ２３を含む。照明器具には、多角度曲げアセンブリ３１と照明アセンブリ３２が含まれ、多角度曲げアセンブリは、照明端に回転可能に固定されている。照明アセンブリは、多角度曲げアセンブリに接続され、第１発光素子、第２発光素子、および第３発光素子を含み、各発光素子はすべて制御モジュールに電気的に接続され、制御モジュールの制御下で光ビームを投射する。【選択図】図２
0003226892.tif 000002
【実用新案登録請求の範囲】
【請求項１】
多目的オートディテーリング照明装置であり、装置本体と、制御モジュールと、照明器具とを含み、
前記装置本体は、互いに対向する固定端と照明端とを有し、前記固定端は、工作機械への固定または固定部材への固定に使用され、前記照明端は、前記固定端から第１方向に沿って延伸することにより形成され、
前記制御モジュールは前記装置本体に配置され、
第１強度調整信号を生成するために調整されるように操作される第１調整スイッチと、
第２強度調整信号を生成するために調整されるように操作される第２調整スイッチと、
第３強度調整信号を生成するために調整されるように操作される第３調整スイッチとを含み、
前記照明器具は以下のものを含み、
多角度曲げアセンブリは、照明端に回転可能に固定され、
照明アセンブリは前記多角度曲げアセンブリに接続され、前記制御モジュールに電気的に接続され、
前記照明アセンブリには以下のものを含み、
第１発光素子は、第１光ビームを投射するために使用され、前記第１光ビームは、第１光フィールド形状および第１光強度を有し、前記第１光強度は、前記第１強度調整信号によって調整され、
第２発光素子は、第２光ビームを投射するために使用され、前記第２光ビームは、第２発光フィールド形状および第２発光強度を有し、前記第２発光フィールド形状は、前記第１発光フィールド形状と重なり、前記第２発光強度は、前記第２強度調整信号により調整され、
第３発光素子は、第３光ビームを投射するために使用され、前記第３光ビームは、第３発光フィールド形状および第３発光強度を有し、前記第３発光フィールド形状は、前記第１発光フィールド形状および 第２発光フィールド形状と重なり、前記第３発光強度は、  前記第３強度調整信号によって調整されることを特徴とする、多目的オートディテーリング照明装置。
【請求項２】
前記第１強度調整信号、前記第２強度調整信号、および前記第３強度調整信号は、すべて電圧レベル信号であることを特徴とする、請求項１に記載の多目的オートディテーリング照明装置。
【請求項３】
前記制御モジュールに電力を供給するために前記制御モジュールに電気的に接続されている充電式バッテリーも含まれていることを特徴とする、請求項１に記載の多目的オートディテーリング照明装置。
【請求項４】
前記充電式バッテリーと前記制御モジュールに電気的に接続され、前記充電式バッテリーの電力を検出し、電力検出信号を生成して前記制御モジュールに送信する電力検出モジュールも含まれていることを特徴とする、請求項３に記載の多目的オートディテーリング照明装置。
【請求項５】
前記制御モジュールは、前記処理モジュールに電気的に接続された電力表示ユニットをさらに含み、前記処理モジュールは、前記電力検出信号に従って前記電力表示ユニットを制御して、前記充電式バッテリーの電力を表示することを特徴とする、請求項４に記載の多目的オートディテーリング照明装置。
【請求項６】
前記固定端に回転可能に接続されたユニバーサル固定構造をさらに含むことを特徴とする、請求項１に記載の多目的オートディテーリング照明装置。
【請求項７】
前記ユニバーサル固定構造は、ユニバーサルヘッドおよび磁性素子をさらに含み、前記ユニバーサルヘッドは前記固定端に回転可能に接続され、磁性素子は前記ユニバーサルヘッドに固定されることを特徴とする、請求項６に記載の多目的オートディテーリング照明装置。
【請求項８】
前記固定端にはユニバーサルヘッド接続ベースが設けられ、前記ユニバーサルヘッドは前記ユニバーサルヘッド接続ベースに回転可能に設けられていることを特徴とする、請求項７に記載の多目的オートディテーリング照明装置。
【請求項９】
多目的オートディテーリング照明装置は、磁性素子をさらに含み、前記磁性素子は前記固定端に固定されることを特徴とする、請求項１に記載の多目的オートディテーリング照明装置。
【請求項１０】
前記多角度曲げアセンブリは第１接続部材と第２接続部材と、第３接続部材とを含み、
前記第１接続部材は、前記照明端に接続され、
前記第２接続部材は、互いに反対側の第１接続端と第２接続端とを有し、前記第１接続端は前記第１接続部材に回転可能に接続され、
前記第３接続部材は前記第２接続端に回転可能に接続され、前記照明アセンブリは前記第３接続部材に接続されることを特徴とする、請求項１に記載の多目的オートディテーリング照明装置。
【請求項１１】
前記第１接続部材は、少なくとも１つの周面ガイド構造を有し、前記照明端には、回転ストローク制限構造が設けられ、前記回転ストローク制限構造は、周面ガイド構造内に協働して延び、前記第１接続部材が制限され、前記照明端にピボットされることを特徴とする、請求項１０に記載の多目的オートディテーリング照明装置。
【請求項１２】
前記第１接続部材は第１円弧状ガイド構造を有し、前記第１接続端には第１スイングストローク制限構造が設けられ、前記第１スイングストローク制限構造は前記第１円弧状ガイド構造内に協働して突出し、それにより、前記第２接続部材は制限され、前記第１接続部材に枢動可能に接続されることを特徴とする、請求項１０に記載の多目的オートディテーリング照明装置。
【請求項１３】
前記第１接続部材は、複数の第１スイング位置決め溝をさらに有し、前記第１接続端には、少なくとも１つの第１位置決めリブがさらに設けられ、前記少なくとも１つの第１位置決めリブは前記少なくとも1つの第１スイング位置決め溝に対応して係合することを特徴とする、請求項１０に記載の多目的オートディテーリング照明装置。
【請求項１４】
前記第３接続部材は第２円弧状ガイド構造を有し、前記第２接続端には第２スイングストローク制限構造が設けられ、前記第２スイングストローク制限構造は前記第２円弧状ガイド構造内に協働して突出し、それにより、前記第３接続部材は制限され、前記第２接続部材に枢動可能に接続されることを特徴とする、請求項１０に記載の多目的オートディテーリング照明装置。
【請求項１５】
前記第３接続部材は、複数の第２スイング位置決め溝をさらに有し、前記第２接続端には、少なくとも１つの第２位置決めリブがさらに設けられ、前記少なくとも１つの第２位置決めリブは前記少なくとも1つの第２スイング位置決め溝に対応して係合することを特徴とする、請求項１０に記載の多目的オートディテーリング照明装置。
【考案の詳細な説明】
【技術分野】
【０００１】
本考案は、多目的オートディテーリング照明装置、特に、複数の調整スイッチを使用して複数の発光素子の光度を個別に調整する多目的オートディテーリング照明装置に関する。
【背景技術】
【０００２】
既存のオートディテーリング（Auto detailing）分野において、オートディテール業者または一般民衆が自動車の光沢仕上げ、サビ落とし、リフィル、ペイント、ワックスかけ、クリーニングなどの作業をしたい時、それらのほとんどは、車の表面を照らすために自然光または屋内光に依存しており、表面処理の状態が完全であるか、強化する必要があるかを肉眼で確認する。光が暗い場合、ユーザーは車の表面に近づいてディテールの状態を見る必要さえあるが、光の問題のために微妙な欠陥を見るのはまだ難しいかもしれない。さらに、それはオートディテール作業の効率に影響を及ぼし、ユーザーの体に負担をかけることさえある。
【０００３】
上記のように、不十分な光によって引き起こされるさまざまな問題を解決するために、ほとんどのユーザーは、明るい室内灯を交換するか、直立シートランプを設置するか、オートディテール作業にハンドヘルドランプを使用することを選択する。たとえディテール作業に手持ち式ランプを使用しても、屋内照明にはまだ光が届かない場所がある。直立シートランプは十分な光を提供できるが、その移動と角度調整は便利ではない。ランプを保持する方法は、不十分な光と照明の角度の問題を解決することができる。しかし、ユーザーは手持ち式ランプを保持するために別の手を解放する必要があり、その結果、ユーザーはディテールツールを片手でしか持てなくなり、非常に不便であり、ユーザーの負担も増加する。
【考案の概要】
【考案が解決しようとする課題】
【０００４】
従来技術を考慮して、ユーザーが自動車のディテール操作を行いたい場合、それらのほとんどは自然光または屋内光を使用して操作範囲内で自動車の表面を照らし、光を反射することによって自動車の表面でディテール作業が完了したかどうかを判断する。自然光または屋内照明では十分な光が得られないことが多いため、ユーザーは屋内光の照明強度をさらに強化するか、または、直立シートランプ或いはハンドヘルドランプを使用して、光を補う。これらの方法には、光量不足、照射角度の不便な調整、またはユーザーの負担の増加などの問題がある。このため、本考案の主な目的は、車の表面またはディテールツールに選択的に固定できる多目的自動車ディテール照明装置を提供することである。
【課題を解決するための手段】
【０００５】
従来技術の問題を解決するために、本考案で採用された必要な技術手段は、装置本体、制御モジュールおよび照明器具を含む多目的オートディテーリング照明装置を提供することである。  
【０００６】
装置本体は、互いに反対側の固定端と照明端とを有し、固定端は、工作機械に固定するため、または固定部材に取り付けるために使用され、照明端は、固定端から第１方向に延びて形成される。
【０００７】
制御モジュールは、装置本体に配置され、第１調整スイッチ、第２調整スイッチ、および第３調整スイッチを含む。第１調整スイッチは、第１強度調整信号を生成するために調整され、第２調整スイッチは、第２強度調整信号を生成するために調整され、第３調整スイッチは、第３強度調整信号を生成するために調整される。
【０００８】
照明器具は、多角度曲げアセンブリと照明アセンブリを含む。多角度曲げアセンブリは、照明端に回転可能に固定され、照明アセンブリは多角度曲げアセンブリに接続され、制御モジュールに電気的に接続されている。照明アセンブリは、第１発光素子、第２発光素子、および第３発光素子を含む。第１発光素子は、第１発光フィールド形状および第１発光強度を有する第１光ビームを投射するために使用され、第１発光強度は第１強度調整信号により調整される。第２発光素子は、第２発光フィールド形状および第２発光強度を有する第２光ビームを投射するために使用される。第２発光フィールド形状は第１発光フィールド形状と重なり、第２発光強度は第２強度調整信号により調整される。第３発光素子は、第３発光フィールド形状および第３発光強度を有する第３光ビームを投射するために使用される。第３発光フィールド形状は、第１発光フィールド形状および第２発光フィールド形状と重なり、第３発光強度は、第３強度調整信号によって調整される。
【０００９】
上記の必要な技術手段から派生した補助的な技術手段の１つでは、第１の強度調整信号、第２の強度調整信号、および第３の強度調整信号はすべて電圧レベル信号である。
【００１０】
上記の必要な技術手段から派生した補助的な技術手段の一つにおいて、多目的オートディテーリング照明装置は、制御モジュールに電力を供給するために制御モジュールに電気的に接続される充電式バッテリーをさらに含む。
【００１１】
好ましくは、多目的オートディテーリング照明装置は、充電式バッテリーおよび制御モジュールに電気的に接続され、充電式バッテリーの電力を検出し、制御モジュールへ電力検出信号を生成および送信する電力検出モジュールをさらに含む。また、多目的オートディテーリング照明装置は、制御モジュールに電気的に接続された電力表示ユニットをさらに含む。制御モジュールは、電力検出信号に従って充電式バッテリーの電力を表示する電力表示ユニットを制御する。
【００１２】
上記の必要な技術手段から派生した補助的な技術手段の一つにおいて、多角度照明装置は、固定端に回転可能に接続されたユニバーサル固定構造をさらに含む。好ましくは、ユニバーサル固定構造は、ユニバーサルヘッドと磁性素子とをさらに含む。ユニバーサルヘッドは固定端に回転可能に接続され、磁性素子はユニバーサルヘッドに固定されている。また、固定端にはユニバーサル接続ベースが設けられ、ユニバーサルヘッドはユニバーサル接続ベースに回転可能に配置される。
【００１３】
上記の必要な技術手段から派生した補助的な技術手段の一つにおいて、多目的オートディテーリング照明装置は、磁性素子をさらに含み、磁性素子は固定端に固定される。
【００１４】
上記の必要な技術手段から派生した補助的な技術手段の１つでは、多角度曲げアセンブリは、第１接続部材、第２接続部材、および第３接続部材を含む。第１接続部材は、照明端に接続され、第２接続部材は、互いに反対側の第１接続端部と第２接続端部とを有し、第１接続端部は、第１接続部材に回転可能に接続される。第３接続部材は第２接続端部に回転可能に接続され、照明アセンブリは第３接続部材に接続される。
【００１５】
好ましくは、第１接続部材は周面ガイド構造を有し、照明端は回転ストローク制限構造を備え、回転ストローク制限構造は協働して周面ガイド構造内に延び、それにより第１接続部材を制限するように照明端に回転自在に接続されている。
【００１６】
好ましくは、第１接続部材は第１円弧状ガイド構造を有し、第１接続端部には第１スイングストローク制限構造が設けられている。第１スイングストローク制限構造は、第１円弧状ガイド構造内に協働して延び、第２接続部材は、制限された方法で第１接続部材に枢動可能に接続される。
【００１７】
好ましくは、第１接続部材は、複数の第１スイング位置決め溝をさらに有する。第１接続端には、少なくとも１つの第１位置決めリブがさらに設けられ、少なくとも１つの第１位置決めリブは、第１スイング位置決め溝の少なくとも１つに対応して係合する。
【００１８】
好ましくは、第３接続部材は第２円弧状ガイド構造を有し、第２接続端部には第２スイングストローク制限構造が設けられる。第２スイングストローク制限構造は、第２円弧状ガイド構造内に協働して延び、第３接続部材は、制限された方法で第２接続部材に枢動可能に接続される。
【００１９】
好ましくは、第３接続部材は、複数の第２スイング位置決め溝をさらに有し、第２接続端部には、少なくとも１つの第２位置決めリブがさらに設けられる。少なくとも１つの第２位置決めリブは、第２スイング位置決め溝の少なくとも１つに対応して係合する。
【考案の効果】
【００２０】
上記のように、本考案の多目的オートディテーリング照明装置は、第１調整スイッチ、第２調整スイッチ、および第３調整スイッチを介して、第１発光素子の第１光線の第１発光強度、第１発光素子の第１光線の第１発光強度、第２発光素子の第２光ビームの第２発光強度および第３発光素子の第３光ビームの第３発光強度をそれぞれ制御する。また、多目的オートディテーリング照明装置の固定端を工作機械に固定したり、固定部材に吸着したりすることができ、ユーザーのディテール操作の利便性を効果的に向上させる。 
【００２１】
本考案に使用される具体的な実施形態は、以下の実施形態および図面によってさらに説明される。
【図面の簡単な説明】
【００２２】
【図１】本考案の第１の好ましい実施形態によって提供される多目的オートディテーリング照明装置を示す三次元概略図である。
【図２】本考案の第１の好ましい実施形態によって提供される多目的オートディテーリング照明装置の別の視点からの斜視図である。
【図３】本考案の第１の好ましい実施形態によって提供される多目的オートディテーリング照明装置の部分分解の三次元分解概略図である。
【図４】本考案の第１の好ましい実施形態により提供される多目的オートディテーリング照明装置の回路システムの概略回路図である。
【図５】本考案の第１の好ましい実施形態によって提供される多目的オートディテーリング照明装置の実際の応用概略図である。
【図６】本考案の第１の好ましい実施形態によって提供される多目的オートディテーリング照明装置の別の実際の応用概略図である。
【図７】本考案の第２の好ましい実施形態によって提供される多目的オートディテーリング照明装置の三次元概略図である。
【図８】本考案の第２の好ましい実施形態によって提供される多目的オートディテーリング照明装置の３次元分解概略図である。
【図９】本考案の第２の好ましい実施形態によって提供される多目的オートディテーリング照明装置の使用状態の三次元概略図である。
【図１０】本考案の第２の好ましい実施形態によって提供される多目的オートディテーリング照明装置の使用状態の三次元概略図である。
【考案を実施するための形態】
【００２３】
図１から図４を参照すると、図１は、本考案の第１の好ましい実施形態によって提供される多目的オートディテーリング照明装置を示す三次元概略図である。図２は、本考案の第１の好ましい実施形態によって提供される多目的オートディテーリング照明装置の別の視野を示す三次元概略斜視図である。図３は、本考案の第１の好ましい実施形態により提供される多目的オートディテーリング照明装置の部分分解を示す三次元分解図である。図４は、本考案の第１の好ましい実施形態によって提供される多目的オートディテーリング照明装置の回路システムを示す概略図である。
【００２４】
図１〜図４に示すように、多目的オートディテーリング照明装置１００は、装置本体１、制御モジュール２および照明器具３、ユニバーサル固定構造４、および充電式バッテリー５、電力検出モジュール６、電力表示ユニット７、および充電モジュール８を含む。
【００２５】
装置本体１は、互いに反対側に設置された固定端１１および照明端１２を有し、 固定端１１は、ユニバーサルジョイントコネクター１１１とネジ接続構造１１２とを有する。この実施形態では、ユニバーサルジョイントコネクター１１１は、実際には、４つのクリップ（図示せず）およびロックリング（図示せず）から構成される。ロックリングをロックおよび緩めることにより、4つのクランプの締め具合を制御し、クランプされたオブジェクトをクランプおよび配置するために使用できる。
【００２６】
照明端１２は、固定端１１から第１方向Ｄ１に沿って延びることにより形成され、照明端１２は、ネジキャップ１２１を有する。
【００２７】
制御モジュール２は、装置本体１に配置され、第１調整スイッチ２１、第２調整スイッチ２２、第３調整スイッチ２３、および処理ユニット２４を含む。第１調整スイッチ２１は、第１強度調整信号Ｓ１を生成するように調整され、 第２調整スイッチ２２は、第２強度調整信号Ｓ２を生成するように調整され、 第３調整スイッチ２３は、第３強度調整信号Ｓ３を生成するように調整操作される。処理ユニット２４は、第１調整スイッチ２１、第２調整スイッチ２２、および第３調整スイッチ２３に電気的に接続され、第１強度調整信号Ｓ１、第２強度調整信号Ｓ２、および第３強度調整信号Ｓ３の受信および分析に使用される。
【００２８】
本実施形態では、第１調整スイッチ２１、第２調整スイッチ２２および第３調整スイッチ２３はノブであり、第１強度調整信号Ｓ１、第２強度調整信号Ｓ２および第３強度調整信号Ｓ３はすべて電圧レベル信号である。 ユーザーがノブを回して電圧レベル信号によって表される電圧レベルを調整できる。しかし、これに限定されるものではなく、他の実施形態では、第１調整スイッチ２１、第２調整スイッチ２２、および第３調整スイッチ２３もレバーであり、第１強度調整信号Ｓ１、第２強度調整信号Ｓ２および第３強度調整信号Ｓ３を直線運動で調整してもよい。より詳細には、上記のノブまたはレバーは、例えば、可変抵抗電子部品と組み合わせることにより、電圧レベルを調整し、電圧レベル信号を生成する機能である。
【００２９】
照明器具３は、多角度曲げアセンブリ３１および照明アセンブリ３２を含む。多角度曲げアセンブリ３１は、第１接続部材３１１、第２接続部材３１２、および第３接続部材３１３を含む。第１接続部材３１１は、ネジキャップ１２１を介して照明端１２に固定され、第２接続部材３１２は、第１接続端部３１２１および第２接続端部３１２２を有する。第１接続端部３１２１は第１接続部材３１１に回転可能に接続され、第２接続端部３１２２は第１接続端部３１２１に一体的に接続され、第３接続部材３１３は第２接続端部３１２２に回転可能に接続される。
【００３０】
図１、図３から図６までを参照してください。図５は、本考案の第１の好ましい実施形態により提供される多目的オートディテーリング照明装置の実用例を示す概略図である。図６は、本考案の第１の好ましい実施形態によって提供される多目的オートディテーリング照明装置の別の実用例を示す概略図である。図１、図３、図４、図５、および図６に示すように、照明アセンブリ３２は第３接続部材３１３に固定され、照明アセンブリ３２は第１発光素子３２１、第２発光素子３２２および第３発光素子３２３を有する。
【００３１】
第１発光素子３２１、第２発光素子３２２、および第３発光素子３２３は、すべて処理ユニット２４に電気的に接続され、第１発光素子３２１は、第１光ビームＬＢ１を投射するために使用される。第１光ビームＬＢ１は、第１発光フィールド形状および第１光度を有し、第１光度は、第１強度調整信号Ｓ１に従って処理ユニット２４によって調整される。第２発光素子３２２は、第２光ビームＬＢ２を投射するために使用され、第２光ビームＬＢ２は、第２発光フィールド形状および第２発光強度を有し、第２発光フィールド形状は、第１発光フィールド形状と重なり合う。第２発光強度は、第２強度調整信号Ｓ２に従って処理ユニット２４によって調整される。第３発光素子３２３は、第３発光フィールド形状および第３発光強度を有する第３光ビームＬＢ３を投射するために使用される。第３発光フィールド形状は、第１発光フィールド形状および第２発光フィールド形状と重なり合う。第３発光強度は、第３強度調整信号Ｓ３に従って処理ユニット２４によって調整される。第１、第２、および第３の発光フィールド形状は互いに重なり合うので、第１、第２、および第３発光素子３２１、３２２、および３２３のいずれか２つ以上が発光する場合、第１光ビームＬＢ１、第２光ビームＬＢ２、および第３光ビームＬＢ３の少なくとも２つを混合して照明光ビームを形成するが、これに限定されない。第１光ビームＬＢ１、第２光ビームＬＢ２、および第３光ビームＬＢ３は、独立して使用することもできる。
【００３２】
上述したように、本実施形態では、第１発光素子３２１、第２発光素子３２２、および第３発光素子３２３は、すべて発光ダイオード（Light-emitting diode,ＬＥＤ）であり、第１発光素子３２１は、例えば赤色光ＬＥＤであり、第２発光素子３２２は例えば黄色光ＬＥＤであり、第３発光素子３２３は例えば青色光ＬＥＤである。本実施形態では、第１発光素子３２１、第２発光素子３２２、および第３発光素子３２３は、赤、黄、青の異なる波長範囲の３原色で配置され、組み合わされているが、本考案はこれに限定されない。他の実施形態では、第１発光素子３２１、第２発光素子３２２、および第３発光素子３２３は、赤、緑、および青などの異なる波長範囲の配置および組み合わせであり得、異なる色温度を有する配置および組み合わせでさえあり得る。
【００３３】
ユニバーサル固定構造４は、ユニバーサルヘッド４１および磁性素子４２を含み、ユニバーサルヘッド４１は、固定端１１のユニバーサルジョイント接続ベース１１１に回転可能に接続されており、磁性素子４２は、ユニバーサルヘッド４１に固定されており、強磁性体に吸着するために使用される。本実施形態では、ユニバーサルジョイント接続ベース１１１が４つのクリップとロックリングで構成されている。したがって、実際には、ロックリングが緩むと、ユニバーサルヘッド４１が4つのクリップに入ることができる。そして、ロックリングをロックすることによりユニバーサルヘッド４１の位置が制限され、ユニバーサルヘッド４１をユニバーサルヘッド接続ベース１１１にユニバーサル回転可能に固定することができる。
【００３４】
図１および図６に示すように、本実施形態では、固定部材２００は、例えば、自動車の板金であるため、ユーザーは、磁性素子４２を介して固定部材２００を吸着固定することができ、ユーザーは、固定部材２００に多目的自動車用ディテール照明装置１００を固定できる。さらに、照明アセンブリ３２は、多角度曲げアセンブリ３１１を介して、調整されるため、第１発光素子３２１、第２発光素子３２２、および第３発光素子３２３の第１光ビームＬＢ１、第２の光ビームＬＢ２、および第３光ビームＬＢ３が固定部材２００に向けられるように、第１ビームＬＢ１、第２ビームＬＢ２、および第３ビームＬＢ３のうちの少なくとも１つを投射する。
【００３５】
充電式バッテリー５は、制御モジュール２に電気的に接続され、制御モジュール２に電力を提供する。電力検出モジュール６は、充電式バッテリー５および制御モジュール２に電気的に接続され、充電式バッテリー５の電力を検出し、電力検出信号Ｓ４を生成して制御モジュール２に送信する。電力表示部７は、制御モジュール２に電気的に接続されている。制御モジュール２は、電力検出信号Ｓ４に応じて、充電式バッテリー５の電力を表示するように電力表示ユニット７を制御する。充電モジュール８は、装置本体１に配置され、充電式バッテリー５に電気的に接続されている。充電モジュール８は、充電ポート８１を有し、充電ポート８１は、装置本体１に露出している。本実施形態では、電力表示ユニット７は複数のＬＥＤを用いて電力を表示し、充電ポート８１はＵＳＢ接続ポートである。
【００３６】
図１から図６を引き続き参照してください。 図１および図６に示すように、本考案の多目的オートディテーリング照明装置１００の固定端１１は、ネジ接続構造１１２を介して工作機械３００のねじ込み部３０１に固定することができる。したがって、ユーザーが工作機械３００を使用して固定部材２００にディテール的操作を行うと、多目的オートディテーリング照明装置１００は、ネジ接続構造１１２を介して工作機械３００に固定されているため、多目的オートディテーリング照明装置１００は、第１接続部材３１１に対して第２接続部材３１２をさらに回転させ、第２接続部材３１２が第１方向Ｄ１に垂直な第２方向Ｄ２に沿って延びる。次に、照明アセンブリ３２が第３接続部材３１３に対して回転し、第３接続部材３１３が第１方向Ｄ１の逆方向に延び、照明アセンブリ３２の第１発光素子３２１、第２発光素子３２２、および第３発光素子３２３は、第１光ビームＬＢ１、第２光ビームＬＢ２、または第３光ビームＬＢ３を固定部材２００に向けて投射することができる。本実施形態では、固定部材２００は自動車の板金であり、工作機械３００はワックスがけ機であるが、これに限定されず、工作機械３００はサンダー、ペイントスプレー、ワイパーなどの装置であってもよい。
【００３７】
図１および図６に示すように、本考案の多目的オートディテーリング照明装置１００の固定端１１は、それに接続された磁性素子４２を介して固定片２００に固定することもできる。本実施形態では、固定部材２００は磁性の鉄の自動車鈑金であるため、磁性素子４２は固定部材２００に磁気的に取り付けることができる。他の実施形態では、固定部材２００は、多目的オートディテーリング照明装置１００を吸着および固定するために磁性素子４２によって使用される別の強磁性フレームまたは壁面であってもよい。加えて、多目的オートディテーリング照明装置１００の固定端１１は、真空吸盤またはクランプによって依然として固定することができる。
【００３８】
図７と図８を参照してください。図７は、本考案の第２の好ましい実施形態によって提供される多目的オートディテーリング照明装置を示す三次元概略図である。図８は、本考案の第２の好ましい実施形態によって提供される多目的オートディテーリング照明装置を示す３次元分解図である。図７および図８に示すように、多目的オートディテーリング照明装置１００ａは、装置本体１ａ、制御モジュール２ａ、照明器具３ａ、磁性素子４ａ、および充電式バッテリー（図示せず）、電力検出モジュール（図示せず）、電力表示ユニット７ａ、および充電モジュール８ａを含む。本実施形態の多目的オートディテーリング照明装置器具１００ａは、上記実施形態の自動車用多目的照明器具１００と類似しているので、その違いは主に構造上の違いにある。充電式バッテリーおよび電力検出モジュールなどの内部回路構造は、上述の充電式バッテリー５および電力検出モジュール６と同等であるため、ここでは詳細に説明しない。
【００３９】
装置本体１ａは、互いに反対側の固定端１１ａおよび照明端１２ａを有する。固定端１１ａは、ネジ接続構造１１１ａを有する。 照明端１２ａは、固定端１１ａから第１の方向Ｄ１ａに延びることにより形成され、照明端１２ａは、ネジキャップ１２１ａと２つの回転ストローク制限構造１２２ａ（図では１つのみを示す）を有する。また、照明端１２ａには、実際には４つの切り欠き（図示せず）が設けられており、ネジキャップ１２１ａを照明端１２ａのネジに螺合することにより、照明端１２ａを効果的に締め付け固定することができる（後で詳述する第１接続部材３１１ａ）。
【００４０】
制御モジュール２ａは、装置本体１ａに配置され、第１調整スイッチ２１ａ、第２調整スイッチ２２ａ、第３調整スイッチ２３ａ、および処理ユニット（図示せず）を含む。制御モジュール２ａの構造は、上述した制御モジュール２と同じであるため、ここでは詳細に説明しない。
【００４１】
照明器具３ａは、多角度曲げアセンブリ３１ａと照明部品３２ａとを含む。多角度曲げアセンブリ３１ａは、第１接続部材３１１ａ、第２接続部材３１２ａ、第３接続部材３１３ａ、第１角度調整ノブ３１４ａ、および第２角度調整ノブ３１５ａを含む。
【００４２】
第１接続部材３１１ａは、２つの第１接続ハウジング３１１１ａ、３１１２ａが突き合わされて構成され、第１コネクタハウジング３１１１ａは、第１溝３１１１１ａおよび第２溝３１１１２ａを有する。第１溝３１１１１ａおよび第２溝３１１１２ａは、第１コネクタハウジング３１１１ａの周面に互いに平行に配置されており、いずれも閉端（図示せず）および開放端（図示せず）を有している。しかし、２つの閉端と開放端の位置は反対である。同様に、第１コネクタハウジング３１１２ａは、第１溝３１１２１ａおよび第２溝３１１２２ａを有する。第１溝３１１２１ａおよび第２溝３１１２２ａは、第１コネクタハウジング３１１２ａの周面に互いに平行に配置されている。そして、両方とも閉端（図示せず）と開放端（図示せず）を有する。２つの第１コネクタハウジング３１１１ａおよび３１１２ａが突き合わされて組み合わされると、第１溝３１１１１ａの開口端は第１溝３１１２１ａの開口端と連通し、それにより周面ガイド構造（図示せず）を形成する。第２溝３１１１２ａの開口端は第２溝３１１２２ａの開口端と連通し、それにより別の周面ガイド構造（図示せず）を形成する。上記の２つの周面ガイド構造は両方ともC型ガイド構造であるが、逆に配置されている。そして、２つの回転ストローク制限構造１２２ａは、２つの周面ガイド構造にそれぞれ適合し、その結果、第１接続部材３１１ａは、照明端１２ａに対して回転することができる。ただし、２つの周面ガイド構造はC型ガイド構造であるため、照明端１２ａに対する第１接続部材３１１ａの回転角度範囲が制限され、第１接続部材３１１ａの３６０°回転が防止されて内部電線がねじれすぎて壊れることが発生する。
【００４３】
上述のように、第１コネクタハウジング３１１１ａはまた、第１円弧状ガイド構造３１１１３ａと、複数の第１スイング位置決め溝３１１１４ａとを有する。本実施形態では、第１円弧状ガイド構造３１１１３ａと第１スイング位置決め溝３１１１４ａは、第１コネクタハウジング３１１１ａの穿孔（図示せず）を中心として対向配置されている。さらに、第１コネクタハウジング３１１２ａは、第１円弧状ガイド構造３１１１３ａおよび第１スイング位置決め溝３１１１４ａの１つと同様の第１円弧状ガイド構造（図示せず）および複数の第１スイング位置溝も有する（図示せず）が、構造が似ているため、ここでは詳しく説明しない。
【００４４】
第２接続部材３１２ａは、２つの第２コネクタハウジング３１２１ａおよび３１２２ａから構成され、第２コネクタハウジング３１２１ａは、第１接続端部３１２１１ａおよび第２接続端部３１２１２ａを有する。第１接続端部３１２１１ａは、第１スイングストローク制限構造３１２１１１ａおよび３つの第１位置決めリブ３１２１１２ａ（図には１つのみを示す）を有する。本実施形態では、第１スイングストローク制限構造３１２１１１ａおよび第１位置決めリブ３１２１１２ａ（図には一方のみを示す）は、第１接続端部３１２１１ａの穿孔（図示せず）を中心として対向して配置される。第１スイングストローク制限構造３１２１１１ａは、協働して第１円弧状ガイド構造３１１１３ａ内に延び、３つの第１位置決めリブ３１２１１２ａは、３つの第１スイング位置決め溝３１１１４ａに対応して係合する。
【００４５】
第２接続端部３１２１２ａはまた、第２スイングストローク制限構造３１２１２１ａおよび３つの第２位置決めリブ３１２１２２ａ（図には１つのみを示す）を有する。本実施形態では、第２スイングストローク制限構造３１２１２１ａおよび第２位置決めリブ３１２１２２ａも、第２接続端部３１２１２ａの穿孔（図示せず）を中心として対向配置されている。
【００４６】
上述のように、第２コネクタハウジング３１２２ａは第１接続端部３１２２１ａと第２接続端部３１２２２ａを有し、第１接続端部３２１１ａと第１接続端部３１２１１ａは対称的な近似構造である。第２接続端部３１２２２ａおよび第２接続端部３１２１２ａは、同様に対称的な近似構造であるため、ここでは説明を繰り返さない。しかしながら、第１スイングストローク制限構造３１２２１１ａは協働して、第１コネクタハウジング３１１２ａの第１円弧状ガイド構造（図示せず）内に突出し、３つの第１位置決めリブ３１２２１２ａは、第１コネクタハウジング３１１２ａの３つの第１スイング位置決め溝（図示せず）と対応して係合する。
【００４７】
追加説明する必要があるのは、第２コネクタハウジング３１２１ａおよび３１２２ａが突き合わされて組み合わされると、第１接続端部３１２１１ａおよび３１２２１ａが第１接続端部（図示せず）を形成し、第２の接続端部３１２１２ａおよび３１２２２ａは、第２接続端（図示せず）を形成する。
【００４８】
第３接続部材３１３ａは、２つの第３コネクタハウジング３１３１ａおよび３１３２ａで構成され、第３コネクタハウジング３１３１ａは、第２円弧状ガイド構造３１３１１ａおよび複数の第２スイング位置決め溝３１３１２ａを有する。本実施形態では、第２円弧状ガイド構造３１３１１ａと第２スイング位置決め溝３１３１２ａは、第３コネクタハウジング３１３１ａの穿孔（図示せず）を中心として対向配置されている。さらに、第３コネクタハウジング３１３２ａは、第２円弧状ガイド構造３１３１１ａおよび第２スイング位置決め溝３１３１２ａと同様の１つの第２円弧状ガイド構造（図示せず）及び複数の第２スイング位置決め溝を有する。ただし、それらの構造が近似しているため、ここでは説明を繰り返さない。
【００４９】
第２スイングストローク制限構造３１２１２１ａは、協働して第２円弧状ガイド構造３１３１１ａ内に突出し、３つの第２位置決めリブ３１２１２２ａは、３つの第２スイング位置決め溝３１２１２ａに対応して係合する。同様に、第２スイングストローク制限構造３１２２２１ａも、第３コネクタハウジング３１３２ａの第２円弧状ガイド構造内に協働して突出する。３つの第２位置決めリブ３１２２２２ａは、第３コネクタハウジング３１３２ａの３つの第２スイング位置決め溝に対応して係合する。
【００５０】
第１回転角度調整ノブ３１４ａは、第１接続端部３２１１ａ、第１コネクタハウジング３１１２ａ、第１コネクタハウジング３１１１ａ、第１接続端部３１２１１ａ、およびナットを順序に回転可能に通される（図示せず）。第１回転角度調整ノブ３１４ａおよびナットをねじ込むことにより、第１接続端部３２１１ａおよび３２１１ａは、第１コネクタハウジング３１１２ａおよび３１１１ａにしっかりとクランプされる。
【００５１】
第２回転角度調整ノブ３１５ａは、第２接続端部３１２２２ａ、第３接続部材ハウジング３１３２ａ、第３コネクタハウジング３１３１ａ、第２接続端部３１２１２ａ、および ナット（図示せず）を順序に回転可能に通される。第２接続端部３１２２２ａおよび３１２１２ａは、第２回転角調整ノブ３１５ａとナットとの螺合を介して第３コネクタハウジング３１３２ａおよび３１３１ａにしっかりとクランプされる。
【００５２】
本実施形態における第１円弧状ガイド構造体３１１１３ａの中心角度は約９０度であるため、第１回転角度調整ノブ３１４ａが緩められると、ユーザーは、第２接続部材３１２ａを制御して、第１接続部材３１１ａに対して９０度の範囲内でスイングし、必要な角度位置を調整することができる。次に、第１回転角度調整ノブ３１４ａをしっかりと回すことにより、第１接続端部３１２１１ａ、３１２２１ａをきつく締めて、第１コネクタハウジング３１１１ａ、３１１２ａをクランプする。このとき、第１接続端部３１２１１ａの第１位置決めリブ３１２１１２ａおよび第１接続端部３１２２１ａの第１位置決めリブ３１２２１２ａは、それぞれ第１コネクタハウジング３１１１ａの第１スイング位置決め溝３１１１４ａおよび第１コネクタハウジング３１１２ａの第１スイング位置決め溝３１１１４ａ に係止されている。したがって、第２接続部材３１２ａと第１接続部材３１１ａとの間のスイング角度をより効果的に固定することができる。
【００５３】
照明アセンブリ３２ａは、照明アセンブリ本体３２１ａと固定カバー３２２ａとを含む。照明アセンブリ本体３２１ａは、第３コネクタハウジング３１３１ａと３１３２ａとの間に配置され、固定カバー３２２ａは、第３コネクタ３１３ａにネジ止めされ、それにより、照明アセンブリ本体３２１ａを第３接続部材３１３１ａと３１３２ａの間に固定する。照明アセンブリ３２ａは、上述した照明アセンブリ３２と同じであり、第１発光素子（図示せず）、第２発光素子（図示せず）、および第３発光素子（図示せず）も有する。第１発光素子、第２発光素子、および第３発光素子は、照明アセンブリ本体３２１ａ上に配置されているため、ここでは詳細に説明しない。
【００５４】
上述したように、照明アセンブリ３２ａは第３接続部材３１３ａに固定され、第３接続部材３１３ａは第２接続端部３１２１２ａおよび３１２２２ａからなる第２接続端部３１２２に回転可能に接続される。したがって、照明アセンブリ３２ａは、第２接続部材３１２ａに対してスイングすることができ、そして、第１接続端部３１２１１ａと３１２２１ａからなる第１接続端は、第１接続部材３１１ａに回転可能に接続されているため、第２接続部材３１２ａは、装置本体１ａに対してスイングさせることができ、これは、照明アセンブリ３２ａを装置本体１ａに対して２段階でスイングさせることと同等である。
【００５５】
磁性素子４ａは、固定端１１ａに固定されており、強磁性体に吸着するために使用される。また、電力表示ユニット７ａおよび充電モジュール８ａの構成は、上述した電力表示ユニット７および充電モジュール８と同様であるため、ここでは説明を繰り返さない。
【００５６】
図９および図１０を引き続き参照してください。図９は本考案の第２の好ましい実施形態によって提供される多目的オートディテーリング照明装置の使用状態を示す三次元概略図である。図１０は本考案の第２の好ましい実施形態によって提供される多目的オートディテーリング照明装置の使用状態を示す三次元概略図である。図７から図１０に示すように、第１接続部材３１１ａは、第１コネクタハウジング３１１１ａおよび３１１２ａによって形成される周面ガイド構造を介して照明端１２ａに回転可能に接続されるため、照明アセンブリ３２ａは、装置本体１ａに対して回転角度範囲Ｒを有することができる。回転角度範囲Ｒは、第１コネクタハウジング３１１１ａと３１１２ａを組み合わせて形成される周面ガイド構造の角度範囲に対応し、本実施形態では約３００度である。
【００５７】
要約すると、既存のユーザーと比較して屋内照明照度をさらに強化するが、または、直立シートランプまたはハンドヘルドランプを使用して、カービューティーオペレーション中の光を強化する。ただし、光量不足、照射角度の不便な調整、ユーザーの負担の増加などの問題が依然として存在する。本考案において、第１発光素子、第２発光素子、および第３発光素子は、それぞれ第１調整スイッチ、第２調整スイッチ、および第３調整スイッチによって制御される。これにより、第１光ビームの第１発光強度、第２光ビームの第２発光強度、および第３光ビームの第３発光強度を調整することができ、ユーザーは必要に応じて適切な光を調整できる。また、多目的オートディテーリング照明装置の固定端を工作機械に固定したり、固定部に吸着したりすることができ、ユーザーのカービューティーオペレーションの利便性を効果的に向上させる。
【００５８】
本考案は意図された機能および目的を実際に達成することができ、詳細な説明により当業者はそれに応じてそれを実施することができるが、本考案の特徴および精神をより明確に説明できることが期待され、本考案の範囲を制限するのではない。上述の実施形態は、本考案を説明するためにのみ使用され、同等の構造におけるすべての変更は、依然として本考案の範囲から逸脱するものではない。  
【符号の説明】
【００５９】
１００、１００ａ   多目的オートディテーリング照明装置
１、１ａ    装置本体
１１、１１ａ   固定端
１１１  ユニバーサルヘッド接続ベース  
１１２、１１１ａ  ネジ接続構造
１２、１２ａ  照明端
１２１、１２１ａ  ネジキャップ
２、２ａ  制御モジュール
１２２ａ  回転ストローク制限構造
２１、２１ａ  第１調整スイッチ
２２、２２ａ  第２調整スイッチ
２３、２３ａ  第３調整スイッチ
２４  処理ユニット
３、３ａ  照明器具
３１、３１ａ  多角度曲げアセンブリ
３１１、３１１ａ  第１接続部材
３１１１ａ、３１１２ａ  第１コネクタハウジング
３１１１１ａ、３１１２１ａ  第１溝
３１１１２ａ、３１１２２ａ   第２溝
３１１１３ａ  第１円弧状ガイド構造
３１１１４ａ  第１スイング位置決め溝
３１２、３１２ａ  第２接続部材
３１２１  第１接続端部
３１２１１ａ、３１２２１ａ  第１接続端部
３１２１１１ａ  第スイングストローク制限構造
３１２１１２ａ  第１位置決めリブ
３１２１２ａ、３１２２２ａ  第２接続端部
３１２１ａ、３１２２ａ  第２コネクタハウジング
３１２１２１ａ  第２スイングストローク制限構造
３１２１２２ａ  第２位置決めリブ
３１２２  第２接続端部
３１３、３１３ａ  第３接続部材
３１３１ａ、３１３２ａ  第３コネクタハウジング
３１３１１ａ  第２円弧状ガイド構造
３１３１２ａ  第２スイング位置決め溝
３１４ａ  第１回転角度調整ノブ
３１５ａ  第２回転角度調整ノブ
３２、３２ａ  照明アセンブリ
３２１  第１発光素子
３２２  第２発光素子
３２３  第３発光素子
３２１ａ  照明アセンブリ本体
３２２ａ  固定カバー
４  ユニバーサル固定構造
４１  ユニバーサルヘッド
４２、４ａ  磁性素子
５  充電式バッテリー
６  電力検出モジュール
７、７ａ  電力表示ユニット
８、８ａ  充電モジュール
８１  充電ポート
Ｓ１  第１強度調整信号
Ｓ２  第２強度調整信号
Ｓ３  第３強度調整信号
Ｓ４  電力検出信号
ＬＢ１  第１光ビーム
ＬＢ２  第２光ビーム
ＬＢ３  第３光ビーム
Ｄ１、Ｄ１ａ  第１方向
Ｄ２  第２方向
Ｒ  回転角度範囲
２００  固定部材
３００  工作機械
３０１  ねじ込み部
【図１】
0003226892.tif 000003
【図２】
0003226892.tif 000004
【図３】
0003226892.tif 000005
【図４】
0003226892.tif 000006
【図５】
0003226892.tif 000007
【図６】
0003226892.tif 000008
【図７】
0003226892.tif 000009
【図８】
0003226892.tif 000010
【図９】
0003226892.tif 000011
【図１０】
0003226892.tif 000012
【手続補正書】
【提出日】令和2年4月30日(2020.4.30)
【手続補正１】
【補正対象書類名】実用新案登録請求の範囲
【補正対象項目名】全文
【補正方法】変更
【補正の内容】
【実用新案登録請求の範囲】
【請求項１】
多目的オートディテーリング照明装置であり、装置本体と、制御モジュールと、照明器具とを含み、
前記装置本体は、互いに対向する固定端と照明端とを有し、前記固定端は、工作機械への固定または固定部材への固定に使用され、前記照明端は、前記固定端から第１方向に沿って延伸することにより形成され、
前記制御モジュールは前記装置本体に配置され、
第１強度調整信号を生成するために調整されるように操作される第１調整スイッチと、  第２強度調整信号を生成するために調整されるように操作される第２調整スイッチと、  第３強度調整信号を生成するために調整されるように操作される第３調整スイッチとを含み、
前記照明器具は以下のものを含み、
多角度曲げアセンブリは、照明端に回転可能に固定され、
照明アセンブリは前記多角度曲げアセンブリに接続され、前記制御モジュールに電気的に接続され、
前記照明アセンブリには以下のものを含み、
第１発光素子は、第１光ビームを投射するために使用され、前記第１光ビームは、第１発光フィールド形状および第１光強度を有し、前記第１光強度は、前記第１強度調整信号によって調整され、
第２発光素子は、第２光ビームを投射するために使用され、前記第２光ビームは、第２発光フィールド形状および第２発光強度を有し、前記第２発光フィールド形状は、前記第１発光フィールド形状と重なり、前記第２発光強度は、前記第２強度調整信号により調整され、
第３発光素子は、第３光ビームを投射するために使用され、前記第３光ビームは、第３発光フィールド形状および第３発光強度を有し、前記第３発光フィールド形状は、前記第１発光フィールド形状および 第２発光フィールド形状と重なり、前記第３発光強度は、前記第３強度調整信号によって調整されることを特徴とする、多目的オートディテーリング照明装置。
【請求項２】
前記第１強度調整信号、前記第２強度調整信号、および前記第３強度調整信号は、すべて電圧レベル信号であることを特徴とする、請求項１に記載の多目的オートディテーリング照明装置。
【請求項３】
前記制御モジュールに電力を供給するために前記制御モジュールに電気的に接続されている充電式バッテリーも含まれていることを特徴とする、請求項１に記載の多目的オートディテーリング照明装置。
【請求項４】
前記充電式バッテリーと前記制御モジュールに電気的に接続され、前記充電式バッテリーの電力を検出し、電力検出信号を生成して前記制御モジュールに送信する電力検出モジュールも含まれていることを特徴とする、請求項３に記載の多目的オートディテーリング照明装置。
【請求項５】
前記制御モジュールは、処理モジュールに電気的に接続された電力表示ユニットをさらに含み、前記処理モジュールは、前記電力検出信号に従って前記電力表示ユニットを制御して、前記充電式バッテリーの電力を表示することを特徴とする、請求項４に記載の多目的オートディテーリング照明装置。
【請求項６】
前記固定端に回転可能に接続されたユニバーサル固定構造をさらに含むことを特徴とする、請求項１に記載の多目的オートディテーリング照明装置。
【請求項７】
前記ユニバーサル固定構造は、ユニバーサルヘッドおよび磁性素子をさらに含み、前記ユニバーサルヘッドは前記固定端に回転可能に接続され、磁性素子は前記ユニバーサルヘッドに固定されることを特徴とする、請求項６に記載の多目的オートディテーリング照明装置。
【請求項８】
前記固定端にはユニバーサルヘッド接続ベースが設けられ、前記ユニバーサルヘッドは前記ユニバーサルヘッド接続ベースに回転可能に設けられていることを特徴とする、請求項７に記載の多目的オートディテーリング照明装置。
【請求項９】
多目的オートディテーリング照明装置は、磁性素子をさらに含み、前記磁性素子は前記固定端に固定されることを特徴とする、請求項１に記載の多目的オートディテーリング照明装置。
【請求項１０】
前記多角度曲げアセンブリは第１接続部材と第２接続部材と、第３接続部材とを含み、前記第１接続部材は、前記照明端に接続され、
前記第２接続部材は、互いに反対側の第１接続端と第２接続端とを有し、前記第１接続端は前記第１接続部材に回転可能に接続され、
前記第３接続部材は前記第２接続端に回転可能に接続され、前記照明アセンブリは前記第３接続部材に接続されることを特徴とする、請求項１に記載の多目的オートディテーリング照明装置。
【請求項１１】
前記第１接続部材は、少なくとも１つの周面ガイド構造を有し、前記照明端には、回転ストローク制限構造が設けられ、前記回転ストローク制限構造は、周面ガイド構造内に協働して延び、前記第１接続部材が制限され、前記照明端にピボットされることを特徴とする、請求項１０に記載の多目的オートディテーリング照明装置。
【請求項１２】
前記第１接続部材は第１円弧状ガイド構造を有し、前記第１接続端には第１スイングストローク制限構造が設けられ、前記第１スイングストローク制限構造は前記第１円弧状ガイド構造内に協働して突出し、それにより、前記第２接続部材は制限され、前記第１接続部材に枢動可能に接続されることを特徴とする、請求項１０に記載の多目的オートディテーリング照明装置。
【請求項１３】
前記第１接続部材は、複数の第１スイング位置決め溝をさらに有し、前記第１接続端には、少なくとも１つの第１位置決めリブがさらに設けられ、前記少なくとも１つの第１位置決めリブは前記少なくとも1つの第１スイング位置決め溝に対応して係合することを特徴とする、請求項１０に記載の多目的オートディテーリング照明装置。
【請求項１４】
前記第３接続部材は第２円弧状ガイド構造を有し、前記第２接続端には第２スイングストローク制限構造が設けられ、前記第２スイングストローク制限構造は前記第２円弧状ガイド構造内に協働して突出し、それにより、前記第３接続部材は制限され、前記第２接続部材に枢動可能に接続されることを特徴とする、請求項１０に記載の多目的オートディテーリング照明装置。
【請求項１５】
前記第３接続部材は、複数の第２スイング位置決め溝をさらに有し、前記第２接続端には、少なくとも１つの第２位置決めリブがさらに設けられ、前記少なくとも１つの第２位置決めリブは前記少なくとも1つの第２スイング位置決め溝に対応して係合することを特徴とする、請求項１０に記載の多目的オートディテーリング照明装置。